(57)【要約】  複数のネットワーク間を移動するデバイスにより実行される登録とのクロスドメインページングをバランスさせることを促進するための方法および装置を提供する。１つ以上の基地局とアイドルモードで通信しているデバイスは、無線アクセス技術（ＲＡＴ）を使用する基地局に関する１つ以上のパラメータを取得し、デバイスが異なるＲＡＴのネットワーク上で登録を実行するか否かを制御できる。したがって、ＲＡＴの１つの基地局からのカバレッジのエリアから、異なるＲＡＴの別の基地局からのカバレッジを含む異なるエリアに移動する（または、逆も同じ）デバイスは、１つ以上のパラメータに少なくとも一部基づいて、異なるＲＡＴに関するページング信号を受信するために、異なるＲＡＴのネットワーク上で登録を実行するか否か、および／または、いつ登録を実行するかを決定できる。【選択図】  図５
2013519317.tif 000002
【特許請求の範囲】
【請求項１】
ワイヤレス通信中で動作可能な装置において、
第１の無線アクセス技術の基地局からの予め定められている登録追跡パラメータに対する値を決定する手段と、
前記予め定められている登録追跡パラメータに対する値に少なくとも一部基づいて、第２の無線アクセス技術に対する登録ステータスを更新するか否かを決定する手段と、
を具備する、装置。
【請求項２】
前記予め定められている登録追跡パラメータは、帯域クラスである、請求項１記載の装置。
【請求項３】
前記第２の無線アクセス技術に対する登録ステータスを更新する手段をさらに具備し、
前記登録ステータスを更新するか否かを決定する前記手段は、前記値が、前記第２の無線アクセス技術の帯域クラスとは異なることを決定することに少なくとも一部基づいて、前記登録ステータスを更新することを決定する、請求項２記載の装置。
【請求項４】
前記登録ステータスを更新することに関するタイマを管理する手段をさらに具備し、
前記登録ステータスを更新するか否かを決定する前記手段は、さらに、前記値がワイルドカード帯域クラスを示す前記タイマに少なくとも一部基づいて、前記登録ステータスを更新するか否かを決定する、請求項２記載の装置。
【請求項５】
前記登録ステータスを更新するか否かを決定する前記手段は、前記値がワイルドカード帯域クラスであることを決定することと、前記タイマが満了していることを決定することとに少なくとも一部基づいて、前記登録ステータスを更新しないことを決定する、請求項４記載の装置。
【請求項６】
前記登録ステータスを更新するか否かを決定する前記手段は、前記値が不一致帯域クラスであることを決定することに少なくとも一部基づいて、前記登録ステータスを更新することを決定する、請求項２記載の装置。
【請求項７】
前記帯域クラスに対する値を決定する前記手段は、少なくとも一部、前記基地局からの前記帯域クラスに対する値を受信することにより、前記帯域クラスに対する値を決定する、請求項２記載の装置。
【請求項８】
前記帯域クラスに対する値を決定する前記手段は、前記基地局と通信するための動作周波数に少なくとも一部基づいて、前記帯域クラスに対する値を決定する、請求項２記載の装置。
【請求項９】
前記予め定められている登録追跡パラメータは、追跡エリアコードである、請求項１記載の装置。
【請求項１０】
前記登録ステータスを更新するか否かを決定する前記手段は、前記追跡エリアコードがワイルドカード追跡エリアコードであることを決定することに少なくとも一部基づいて、前記登録ステータスを更新しないことを決定する、請求項９記載の装置。
【請求項１１】
前記登録ステータスを更新するか否かを決定する前記手段は、さらに、登録タイマに少なくとも一部基づいて、前記登録ステータスを更新しないことを決定する、請求項１０記載の装置。
【請求項１２】
前記値を決定する前記手段は、パラメータ決定コンポーネントであり、前記登録ステータスを更新するか否かを決定する前記手段は、登録決定コンポーネントである、請求項１記載の装置。
【請求項１３】
ワイヤレス通信中でデバイスにより動作可能な方法において、
第１の無線アクセス技術の基地局からの予め定められている登録追跡パラメータに対する値を決定することと、
前記予め定められている登録追跡パラメータに対する値に少なくとも一部基づいて、第２の無線アクセス技術に対する登録ステータスを更新するか否かを決定することと、
を含む、方法。
【請求項１４】
ワイヤレスネットワーク中で動作可能な装置において、
アイドルモードからアクティブモード通信への切り換えを検出して、現在の時間と、無線アクセス技術との登録ステータスを更新する時間との間の時間が、しきい値時間よりも少ないことを決定する手段と、
前記現在の時間と、前記登録ステータスを更新する前記時間との間の前記時間が、前記しきい値時間よりも少ないことを決定することを検出する前記手段に少なくとも一部基づいて、アクティブモード通信の間に、前記無線アクセス技術との登録ステータスを更新する手段と、
を具備する、装置。
【請求項１５】
ハードコーディング、構成、または基地局から、前記しきい値時間を受信する手段をさらに具備する、請求項１４記載の装置。
【発明の詳細な説明】
【合衆国法典第３５部第１１９条の下での優先権主張】
【０００１】
本特許出願は、“１ｘ−ＬＴＥ境界にわたる登録を強制する方法および装置”と題し、２０１０年２月５日に出願され、ここでの参照によりここに正確に組み込まれ、本出願の譲受人に譲渡されている仮出願第６１／３０１，８９９号に対して優先権を主張する。
【分野】
【０００２】
以下の説明は、一般的にワイヤレスネットワーク通信に関し、さらに詳細には、異なる無線アクセス技術を使用するための登録を実行することに関する。
【背景】
【０００３】
ワイヤレス通信システムは、例えば、音声、データ等のような、様々なタイプの通信コンテンツを提供するために広く採用されている。典型的なワイヤレス通信システムは、使用可能なシステムリソース（例えば、帯域幅、送信電力、．．．）を共有することにより、複数のユーザとの通信をサポートすることができる多元接続システムであってもよい。このような多元接続システムの例は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、およびこれらに類するものを含んでもよい。加えて、システムは、第３世代パートナーズシッププロジェクト（３ＧＰＰ）、３ＧＰＰロングタームエボリューション（ＬＴＥ）、ウルトラモバイルブロードバント（ＵＭＢ）、エボリューションデータオプティマイズド（ＥＶ−ＤＯ）等のような、仕様に一致させることができる。
【０００４】
一般的に、ワイヤレス多元接続通信システムは、複数の移動デバイスに対する通信を同時にサポートできる。各移動デバイスは、フォワードリンクおよびリバースリンク上での送信を介して、１つ以上の基地局と通信できる。フォワードリンク（すなわち、ダウンリンク）は、基地局から移動デバイスへの通信リンクのことを指し、リバースリンク（すなわち、アップリンク）は、移動デバイスから基地局への通信リンクのことを指している。さらに、移動デバイスと基地局との間の通信は、単一入力単一出力（ＳＩＳＯ）システムや、複数入力単一出力（ＭＩＳＯ）システムや、複数入力複数出力（ＭＩＳＯ）システム等を介して、確立できる。加えて、ピアツーピアワイヤレスネットワーク構成において、移動デバイスは他の移動デバイスと通信できる（および／または、基地局は他の基地局と通信できる）。
【０００５】
加えて、ＬＴＥは、高スピードデータ通信に対する特定のエリアにおいて採用されており、エリアは、回路交換ネットワークカバレッジも含むことができる。いくつかのインプリメンテーションでは、ＬＴＥネットワークは音声通信を直接サポートせず、したがって、デバイスは、カバレッジエリア中の回路交換ネットワークにフォールバックして、音声通信、ショートメッセージサービス（ＳＭＳ）等を実行できる。これに関して、ＬＴＥネットワークまたは他のパケット交換ネットワークを通して通信しているデバイスは、ＬＥＴネットワークを通して、（コード分割多元接続２０００ １ｘ、グローバルシステムフォーモバイルコミュニケーション、ユニバーサルモバイルテレコミュニケーションシステム等のような）回路交換ネットワークに登録することもできる。したがって、ＬＥＴネットワーク上にアイドルモードでキャンピングしているデバイスに対して、通話が受信される場合、ＬＴＥネットワークは、回路交換ネットワークに関するページをデバイスに転送、または、そうでなければ、送ることができ、デバイスは、ページを受信することに基づいて、類似したカバレッジエリア中の回路交換ネットワークにフォールバックして、音声通信を促進することができる。同様に、デバイスは、回路交換ネットワークにフォールバックして、音声通信を開始させることができる。
【０００６】
さらに、散発的な（sporadic）ＬＴＥ導入のため、デバイスは、アイドルモードである間に、組み合わされた回路交換ネットワークおよびＬＴＥカバレッジのエリアと、ＬＴＥを持たない回路交換ネットワークカバレッジのエリアとの間を移動できる。したがって、デバイスは、ＬＴＥカバレッジからドロップアウトし、回路交換ネットワークカバレッジにわたることができる。この例では、しかしながら、回路交換ネットワークが、ＬＴＥページを利用しないクロスドメインページングをもたらすことに加えて、ＬＴＥネットワークは、依然として、到来通話、ＳＭＳ等のためにページング信号をデバイスに送信する可能性がある。これは、ＬＴＥ導入に対して、ネットワークリソースの不必要な利用の原因となることがある。
【概要】
【０００７】
以下のものは、１つ以上の態様の基本的な理解を提供するために、そのような態様の簡略化した概要を提示する。この概要は、すべての考えられる態様の幅広い概観ではなく、すべての態様のキーまたは重要なエレメントを識別することや、任意の態様またはすべての態様の範囲を線引きすることを意図していない。その唯一の目的は、後に提示するさらに詳細な記述への前置きとして、１つ以上の態様のいくつかの概念を簡略化した形態で提示することである。
【０００８】
１つ以上の実施形態とそれらの対応する開示とにしたがって、複数のネットワーク間を移動するときに、不必要なクロスドメインページングと登録を実行することとをバランスさせることを促進させることに関して、様々な態様を記述する。例えば、１つ以上の基地局とアイドルモードで通信するデバイスは、無線アクセス技術（ＲＡＴ）を使用して基地局に関する１つ以上のパラメータを取得し、異なるＲＡＴのネットワーク上でデバイスが登録を実行するか否かを制御できる。したがって、ＲＡＴの１つの基地局からのカバレッジのエリアから、異なるＲＡＴの別の基地局からのカバレッジを含む異なるエリアに移動する（または、逆も同じ）デバイスは、異なるＲＡＴに関するページング信号を受信するために、異なるＲＡＴのネットワーク上で登録を実行するか否か、および／または、いつ登録を実行するかを決定できる。
【０００９】
１つの例では、デバイスは、ＲＡＴのネットワークと異なるＲＡＴのネットワークとのそれぞれに対する登録を記憶することが可能であり、ＲＡＴのネットワークから受信したパラメータに少なくとも一部基づいて、異なるＲＡＴのネットワーク上で登録を実行するか否かを決定できる。別の例では、双方のネットワークは、ページング信号をアイドルモードのデバイスに送信することが可能であり、デバイスは、さらにタイマを分析することに少なくとも一部基づいて、異なるＲＡＴのネットワーク上で登録を実行するか否かを決定し、ネットワーク間での頻繁な切り換えを防ぐことができる。
【００１０】
ある例にしたがって、ワイヤレス通信中でデバイスにより動作可能な方法を提供する。方法は、第１のＲＡＴの基地局からの予め定められている登録追跡パラメータに対する値を決定することと、予め定められている登録追跡パラメータに対する値に少なくとも一部基づいて、第２のＲＡＴに対する登録を実行するか否かを決定することとを含む。
【００１１】
別の態様では、ワイヤレス通信中で動作可能な装置を提供する。装置は、第１のＲＡＴの基地局からの予め定められている登録追跡パラメータに対する値を決定するように構成されている少なくとも１つのプロセッサを具備する。少なくとも１つのプロセッサは、予め定められている登録追跡パラメータに対する値に少なくとも一部基づいて、第２のＲＡＴに対する登録ステータスを更新するか否かを決定するようにさらに構成されている。加えて、装置は、少なくとも１つのプロセッサに結合されているメモリを備える。
【００１２】
また別の態様では、第１のＲＡＴの基地局からの予め定められている登録追跡パラメータに対する値を決定する手段を備える、ワイヤレス通信中で動作可能な装置を提供する。装置は、予め定められている登録追跡パラメータに対する値に少なくとも一部基づいて、第２のＲＡＴに対する登録ステータスを更新するか否かを決定する手段をさらに備える。
【００１３】
さらに、別の態様では、第１のＲＡＴの基地局からの予め定められている登録追跡パラメータに対する値を少なくとも１つのコンピュータに決定させるためのコードを有するコンピュータ読み取り可能媒体を含む、ワイヤレス通信中で使用するコンピュータプログラムプロダクトを提供する。コンピュータ読み取り可能媒体は、予め定められている登録追跡パラメータに対する値に少なくとも一部基づいて、第２のＲＡＴに対する登録ステータスを更新するか否かを少なくとも１つのコンピュータに決定させるためのコードをさらに含む。
【００１４】
さらに、ある態様では、第１のＲＡＴの基地局からの予め定められている登録追跡パラメータに対する値を決定するパラメータ決定コンポーネントを備える、ワイヤレス通信中で動作可能な装置を提供する。装置は、予め定められている登録追跡パラメータに対する値に少なくとも一部基づいて、第２のＲＡＴに対する登録ステータスを更新するか否かを決定する登録決定コンポーネントをさらに備える。
【００１５】
別の例によれば、アイドルモードからアクティブモード通信への切り換えを検出することと、現在の時間と、ＲＡＴとの登録ステータスを更新する時間との間の時間がしきい値時間よりも少ないことを決定することとを含む、ワイヤレスネットワーク中でデバイスにより動作可能な方法を提供する。方法は、決定に少なくとも一部基づいて、アクティブモード通信の間に、ＲＡＴとの登録ステータスを更新することをさらに含む。
【００１６】
別の態様では、アイドルモードからアクティブモード通信への切り換えを検出し、現在の時間と、ＲＡＴとの登録ステータスを更新する時間との間の時間がしきい値時間よりも少ないことを決定するように構成されている少なくとも１つのプロセッサを備える、ワイヤレスネットワーク中で動作可能な装置を提供する。少なくとも１つのプロセッサは、少なくとも１つのプロセッサが、現在の時間と、登録ステータスを更新する時間との間の時間が、しきい値時間よりも少ないことを決定することに少なくとも一部基づいて、アクティブモード通信の間に、ＲＡＴとの登録ステータスを更新するようにさらに構成されている。さらに、装置は、少なくとも１つのプロセッサに結合されているメモリを備える。
【００１７】
また別の態様では、アイドルモードからアクティブモード通信への切り換えを検出して、現在の時間と、ＲＡＴとの登録ステータスを更新する時間との間の時間が、しきい値時間よりも少ないことを決定する手段を具備する、ワイヤレスネットワーク中で動作可能な装置を提供する。装置は、現在の時間と、登録ステータスを更新する時間との間の時間が、しきい値時間よりも少ないことを決定することを検出する手段に少なくとも一部基づいて、アクティブモード通信の間に、ＲＡＴとの登録ステータスを更新する手段を具備する。
【００１８】
さらに、別の態様では、アイドルモードからアクティブモード通信への切り換えを少なくとも１つのコンピュータに検出させるためのコードと、現在の時間と、ＲＡＴとの登録ステータスを更新する時間との間の時間が、しきい値時間よりも少ないことを少なくとも１つのコンピュータに決定させるためのコードとを有するコンピュータ読み取り可能媒体を含む、ワイヤレスネットワーク中で使用するコンピュータプログラムプロダクトを提供する。コンピュータ読み取り可能媒体は、現在の時間と、登録ステータスを更新する時間との間の時間が、しきい値時間よりも少ないことを決定することを少なくとも１つのコンピュータに決定させるためのコードに少なくとも一部基づいて、アクティブモード通信の間に、ＲＡＴとの登録ステータスを少なくとも１つのコンピュータに更新させるためのコードをさらに含む。
【００１９】
さらに、ある態様では、アイドルモードからアクティブモード通信への切り換えを検出し、現在の時間と、ＲＡＴとの登録ステータスを更新する時間との間の時間がしきい値時間よりも少ないことを決定する登録決定コンポーネントを具備する、ワイヤレスネットワーク中で動作可能な装置を提供する。装置は、現在の時間と、登録ステータスを更新する時間との間の時間が、しきい値時間よりも少ないことを決定することを検出する手段に少なくとも一部基づいて、アクティブモード通信の間に、ＲＡＴとの登録ステータスを更新する登録コンポーネントをさらに具備する。
【００２０】
前述の関連する目的を達成するために、１つ以上の態様は、以下に十分に説明し、特に特許請求の範囲において指し示す特徴を含んでいる。以下の説明および添付した図面は、１つ以上の態様の特定の例示的な特徴について詳細に述べる。しかしながら、これらの特徴は、様々な態様の原理を用いることができる様々な方法のうちのいくつかを示しているが、この説明は、すべてのそのような態様とそれらの均等物とを含むことを意図している。
【図面の簡単な説明】
【００２１】
開示した態様を図示し、開示した態様に限定しないように提供されている添付した図面に関して、開示した態様を以下に説明する。同一の名称は、同一のエレメントを示す。
【図１】図１は、１つ以上の無線アクセス技術（ＲＡＴ）の１つ以上のカバレッジエリア間で移動するための例示的なシステムを図示している。
【図２】図２は、基地局間で移動して通信しているときに、ＲＡＴとの登録を実行するか否かを決定する例示的なシステムを図示している。
【図３】図３は、ＲＡＴに関する帯域クラス値を受信して、値に少なくとも一部基づいて、登録を実行するか否かを決定する例示的なシステムを図示している。
【図４】図４は、ＲＡＴに関する追跡エリアコード値を受信して、値に少なくとも一部基づいて、登録を実行するか否かを決定する例示的なシステムを図示している。
【図５】図５は、帯域クラス値に少なくとも一部基づいて、ＲＡＴを通して登録を実行するか否かを決定する例示的な方法論を図示している。
【図６】図６は、追跡エリアコード値に少なくとも一部基づいて、ＲＡＴを通して登録を実行するか否かを決定する例示的な方法論を図示している。
【図７】図７は、タイマ値とワイルドカード帯域クラスとに少なくとも一部基づいて、ＲＡＴを通して登録を実行するか否かを決定する例示的な方法論を図示している。
【図８】図８は、アクティブモードである間に、登録ステータスを更新するか否かを決定する例示的な方法論を図示している。
【図９】図９は、ＲＡＴを通して登録を実行するか否かを決定する例示的な移動デバイスを図示している。
【図１０】図１０は、システム情報中で１つ以上のパラメータをアドバタイズすることを促進する例示的なシステムを図示している。
【詳細な説明】
【００２２】
図面を参照して、様々な態様をこれから記述する。以下の記述では、１つ以上の態様の十分な理解を提供するために、説明の目的として、数多くの特定の詳細を述べる。しかしながら、そのような態様をこれらの特定の詳細なしで実施できることは明らかであるかもしれない。
【００２３】
ここでさらに記述するように、無線アクセス技術（ＲＡＴ）の基地局は、デバイスが異なるＲＡＴのネットワーク上で登録するか否かを制御するパラメータを提供することができる。例えば、ＲＡＴのカバレッジのエリアと異なるＲＡＴのカバレッジとのエリアと間をアイドルモードで移動するデバイスは、パラメータに少なくとも一部基づいて、異なるＲＡＴのネットワークを通して登録を実行するか否か（例えば、ＲＡＴまたは異なるＲＡＴの基地局との通信を実行するか否か）を決定できる。１つの例では、デバイスは、タイマに少なくとも一部基づいて、異なるＲＡＴのネットワーク上で登録を実行するか否かを決定して、ＲＡＴおよび異なるＲＡＴの基地局を使用する反復登録を防ぐことができる。
【００２４】
本出願で使用される“コンポーネント”、“モジュール”、“システム”という用語、およびこれらに類するものは、これらには限定されないが、ハードウェア、ファームウェア、ハードウェアおよびソフトウェアの組み合わせ、ソフトウェア、または実行中のソフトウェアのような、コンピュータ関連エンティティを含むように意図されている。例えば、コンポーネントは、これらには限定されないが、プロセッサ上での処理実行、プロセッサ、オブジェクト、実行ファイル、実行のスレッド、プログラム、および／またはコンピュータであってもよい。実例として、コンピューティングデバイス上で実行しているアプリケーションとコンピューティングデバイスとの双方は、コンポーネントであり得る。１つ以上のコンポーネントは、プロセス、および／または、実行のスレッド内に存在することができ、コンポーネントは、１つのコンピュータ上にローカライズしていてもよく、および／または、２つ以上のコンピュータ間に分散されていてもよい。加えて、これらのコンポーネントは、その上に記憶された様々なデータ構造を有する、様々なコンピュータ読み取り可能媒体から実行できる。コンポーネントは、ローカルシステム中で、分散システム中で、および／または、他のシステムとのインターネットのようなネットワークにわたって、別のコンポーネントと対話している１つのコンポーネントからの、信号としてのデータのような、１つ以上のデータパケットを有する信号にしたがうように、ローカルおよび／または遠隔処理として通信してもよい。
【００２５】
さらに、ワイヤード端末またはワイヤレス端末であり得る端末に関して、様々な態様をここで記述する。端末は、システム、デバイス、加入者ユニット、加入者局、移動局、移動体、移動デバイス、遠隔局、移動端末、アクセス端末、ユーザ端末、端末、通信デバイス、ユーザエージェント、ユーザデバイス、またはユーザ機器（ＵＥ）と呼ばれることもある。ワイヤレス端末は、セルラ電話機、衛星電話、コードレス電話機、セッション開始プロトコル（ＳＩＰ）電話機、ワイヤレスローカルループ（ＷＬＬ）局、パーソナルデジタルアシスタント（ＰＤＡ）、ワイヤレス通信能力を持つハンドヘルドデバイス、コンピューティングデバイス、または、ワイヤレスモデムに接続される他の処理デバイスであってもよい。さらに、基地局に関して、様々な態様をここに記述する。基地局は、ワイヤレス端末との通信のために利用されてもよく、また、アクセスポイント、ノードＢ、進化ノードＢ（ｅＮＢ）、または他の専門用語として呼ばれてもよい。
【００２６】
さらに、“または”という用語は、排他的な“または”よりも、むしろ包括的な“または”を意味することを意図している。つまり、そうでないことが規定されていない限り、または、文脈から明らかでない限り、“Ｘは、ＡまたＢを用いる”というフレーズは、自然包括的な置き換えのうちのいずれかを意味することを意図している。つまり、“Ｘは、ＡまたはＢを用いる”というフレーズは、以下のインスタンスのうちのいずれかにより満たされる：ＸはＡを用いる；ＸはＢを用いる；または、Ｘは、ＡおよびＢの双方を用いる。さらに、本出願および添付した特許請求の範囲中で使用される冠詞“ａ”および“ａｎ”は、一般的に、そうでないことが規定されていない限り、または、文脈から単数形に向けられていることが明らかでない限り、“１つ以上”を意味するように解釈すべきである。
【００２７】
ＣＤＭＡ、ＴＤＭＡ、ＦＤＭＡ、ＯＦＤＭＡ、ＳＣ−ＦＤＭＡ、および他のシステムのような、様々なワイヤレス通信システムに対して、ここに記述する技術を使用できる。“システム”および“ネットワーク”という用語は、交換可能に使用することが多い。ＣＤＭＡシステムは、ユニバーサル地上無線アクセス（ＵＴＲＡ）、ｃｄｍａ２０００等のような、無線技術を実現できる。ＵＴＲＡは、ワイドバンド−ＣＤＭＡ（Ｗ−ＣＤＭＡ）、および、ＣＤＭＡの他の変形を含む。さらに、ｃｄｍａ２０００は、ＩＳ−２０００、ＩＳ−９５、およびＩＳ−８５６の標準規格をカバーしている。ＴＤＭＡシステムは、グローバルシステムフォーモバイルコミュニケーション（ＧＳＭ（登録商標））のような無線技術を実現できる。ＯＦＤＭＡシステムは、進化ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ）、ＩＥＥＥ８０２．２０、フラッシュ−ＯＦＤＭ（登録商標）等のような、無線技術を実現できる。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）は、ダウンリンク上でＯＦＤＭＡを、および、アップリンク上でＳＣ−ＦＤＭＡを用いる、Ｅ−ＵＴＲＡを使用する、ＵＭＴＳのリリースである。ＵＴＲＡ、Ｅ−ＵＴＲＡ、ＵＭＴＳ、ＬＴＥ、およびＧＳＭは、“第３世代パートナーズシッププロジェクト”（３ＧＰＰ）という名称の機関からの文書中に記載されている。さらに、ｃｄｍａ２０００およびＵＭＢは、“第３世代パートナーズシッププロジェクト２”（３ＧＰＰ２）という名称の機関からの文書中に記載されている。さらに、このようなワイヤレス通信システムは、追加的に、不対の無認可のスペクトル、８０２．ｘｘワイヤレスＬＡＮ、ブルートゥース（登録商標）、および、他の何らかの短距離もしくは長距離ワイヤレス通信技術を使用することが多い、ピアツーピア（例えば、モバイルツーモバイル）アドホックネットワークシステムを含んでいてもよい。
【００２８】
多数のデバイス、コンポーネント、モジュール、およびこれらに類するものを含んでもよいシステムに関して、様々な態様または特徴を提示する。様々なシステムは、追加のデバイス、コンポーネント、モジュール等を備えてもよく、および／または、図面に関して議論した、デバイス、コンポーネント、モジュール等のすべてを備えていなくてもよいことを理解し、正しく認識すべきである。これらのアプローチの組み合わせも使用してもよい。
【００２９】
図１を参照すると、異なるネットワークカバレッジエリア間で移動するためのデバイス登録の制御を促進するワイヤレス通信システム１００が図示されている。システム１００は、基地局１０６および１０８によりそれぞれ提供される、ＲＡＴ１カバレッジエリア１０２および１０４と、少なくとも一部はＲＡＴ１カバレッジエリア１０２内にある、基地局１１４および１１６によりそれぞれ提供される、ＲＡＴ２カバレッジエリア１１０および１１２とを備える。システム１００は、それぞれのカバレッジエリア１０２、１０４、１１０、および１１２中で、基地局１０６、１０８、１１４、および／または１１６と通信できるデバイス１１８も備える。基地局１０６、１０８、１１４、および１１６は、それぞれ、マクロセル、フェムトセル、ピコセル、もしくは類似した基地局、中継ノード、移動基地局、ピアツーピアもしくはアドホックモードで通信するデバイス、その一部、およびに／または、これらに類するものとすることができる。デバイス１１８は、ＵＥ、モデム（または、他のつながれたデバイス）、その一部、および／または、これらに類するものであり得る。
【００３０】
ある例によれば、デバイス１１８は、ＲＡＴ１カバレッジエリア１０２内にあるとすることができ、基地局１０６と通信することにより、関連するネットワークに登録することができる。デバイス１１８は、アイドルモードであるとすることができ、それにより、基地局１０６は、ページング信号をデバイス１１８に送信して、アイドルモードキャンピングを促進できる。加えて、デバイス１１８は、ＲＡＴ１カバレッジエリア１０２に関する、基地局１０６からの１つ以上のパラメータを記憶できる。キャンピングは、一般的に、ワイヤレスネットワーク中で、特定の時間インターバルで送信されるページング信号を基地局から受信するデバイスの能力のことを指すことができる。１つの例では、ページング信号がデバイスにおける電力を節約することが予期されていない時間期間の間、デバイスは、トランシーバの電源をオフにできる。したがって、デバイスがキャンピングしているとき、基地局は、デバイスにページング信号を送り、デバイスとの接続を維持することができ、ページング信号を使用して、（例えば、通話、ショートメッセージサービス（ＳＭＳ）、または他の通知を受信した際に）基地局と通信するためにアイドルモードからアクティブモードに切り換えるようにデバイスに通知することもできる。
【００３１】
デバイス１１８は、アイドルモードである間に、ＲＡＴ２カバレッジエリア１１０に移動することができ、これは、基地局１０６から基地局１１４へのアイドルモード再選択を実行することを含むことができる。再選択は、ターゲット基地局からの信号を測定することと、ターゲット基地局が通信に対してより適していると決定することとに少なくとも一部基づいて、ソース基地局からターゲット基地局と通信することを決定することを指すことができる。このような決定は、ターゲット基地局からの信号が、ソース基地局からのしきい値レベルを超える向上された信号対ノイズ比を有することを決定することのような、測定に少なくとも一部基づくとすることができる。決定は、ソース基地局、デバイス等により行うことができる。１つの例では、ソース基地局は、デバイス情報をターゲット基地局に提供でき、ソース基地局の代わりに（または、ソース基地局に加えて、ソフト再選択のために）ターゲット基地局から、信号を受信するようにデバイスに命令することができる。
【００３２】
再選択またはその逆の間に、デバイス１１８は、ＲＡＴ２カバレッジエリア１１０に関する１つ以上のパラメータを基地局１１４から受信でき、１つ以上のパラメータに少なくとも一部基づいて、ＲＡＴ２に関するネットワークを通して、基地局１１４を介して、ＲＡＴ１との登録を実行するか否かを決定して、登録ステータスを更新できる。例えば、デバイス１１８は、ＲＡＴ２に関するネットワークを通して、ＲＡＴ１に登録して、ＲＡＴ１に特有な１つ以上のサービスを受け取ることができる。したがって、デバイス１１８が、基地局１１４を通してＲＡＴ１に登録する場合、１つの例では、基地局１１４は、基地局１０６から受信したページング信号をデバイス１１８に転送できる。いくつかのインスタンスでは、ページング信号は、デバイス１１８に、ＲＡＴ１のネットワークにフォールバックさせて（すなわち、フォールバックを生じさせる他のページング信号を送信させて）、記述するように、基地局１０６と通信させることができる。加えて、例えば、デバイス１１８は、所定のカバレッジエリアへの最初のエントランスに対して登録を実行し、登録パラメータを取得して、デバイス１１８へのページング信号の送信を所定の基地局に開始させることができることを正しく認識すべきである。例えば、ＲＡＴ１カバレッジエリア１０２中でデバイス１１８を初期化することができ、そのケースでは、デバイス１１８は、基地局１０６を介して、ＲＡＴ１ネットワークとの登録を実行することができる。ＲＡＴ２カバレッジエリア１１０中でデバイス１１８を初期化することができ、そのケースでは、デバイス１１８は、基地局１１４を介して、ＲＡＴ２ネットワークとＲＡＴ１ネットワークとの登録を実行できる等。任意のケースでは、ここに記述した例において、デバイス１１８は、ＲＡＴ１との登録ステータスを更新するか否かを決定することができ、この決定は、ＲＡＴ２カバレッジエリア１１０に戻る際には基地局１１４を通して、ＲＡＴ１カバレッジ１０２に戻る際には基地局１０６を通して、登録ステータスを更新するか否かを決定すること等を含めることができる。
【００３３】
これに関して、デバイス１１８は、ＲＡＴ２カバレッジエリア１１０を出てＲＡＴ１カバレッジ１０２に戻ることができ、同様に、受信したＲＡＴ１に関する１つ以上のパラメータに少なくとも一部基づいて、ＲＡＴ１に関するネットワークに登録するか否かを決定できる。デバイス１１８が登録しないことを決定する場合に、デバイス１１８は、基地局１０６からページング信号を受信でき、基地局１１４は、依然として、ページング信号を転送することになり、デバイス１１８は、基地局１１４からのページング信号を使用しないかもしれないことから、不必要なクロスドメインページングの原因となる。しかしながら、加えて、デバイス１１８により、ＲＡＴ１カバレッジエリア１０２とＲＡＴ２カバレッジエリア１１０との間を頻繁に出入りすること（例えば、デバイスが、ＲＡＴ２カバレッジエリア１１０の端付近にいる場合）は、対応する基地局１０６および１１４を介するＲＡＴ２と同様に、ＲＡＴ１のネットワーク上での頻繁な登録を生じさせることになる。これは、一般的に、ピンポン現象（ping-pong effect）として説明できる。これに関して、例えば、さらにタイマに一部基づいて登録するように示す、異なるパラメータ、または、１つ以上のパラメータの値を基地局１０６および／または１１４によりデバイス１１８に提供して、頻繁な登録とＲＡＴ２による不必要なページングとをバランスさせることができる。したがって、ＲＡＴ１またはＲＡＴ２のカバレッジエリア１０２または１１０からもう一方への最初の移動の際に、タイマを初期化することができる。タイマが満了していない場合に、デバイス１１８は、異なるパラメータまたは値に基づいてカバレッジエリア１０２および１１０間で移動するときに、登録することをやめることができる。タイマが満了している場合には、デバイス１１８は、デバイス１１８が入るカバレッジエリア１０２または１１０のどちらかの中で、ＲＡＴ上で登録でき（例えば、タイマを再び初期化でき）、それは、上述したピンポン現象を防ぐことができる。
【００３４】
さらに、デバイス１１８は、ＲＡＴ１カバレッジエリア１０２からＲＡＴ１カバレッジエリア１０４に移動できる。この例では、デバイス１１８は、ＲＡＴ１との登録を実行するか否かを示すことができる、ＲＡＴ１カバレッジエリア１０４に関する１つ以上のパラメータを受信できる。加えて、デバイス１１８は、ＲＡＴ２カバレッジエリア１１０からＲＡＴ２カバレッジエリア１１２に移動できる。この例では、デバイス１１８は、基地局１１６を通して、ＲＡＴ１登録を実行することにより、ＲＡＴ１との登録ステータスを更新するか否かを示すことができる、ＲＡＴ２カバレッジエリア１１２に関する１つ以上のパラメータを受信できる。さらに、この例では、ＲＡＴ２カバレッジエリア１１２は、代わりに、ＲＡＴ１カバレッジエリア１０４内にあるとすることができることを正しく認識すべきである。これらの例では、登録は、タイマに少なくとも一部基づくこともできる。したがって、ＲＡＴ１カバレッジエリア１０４またはＲＡＴ２カバレッジエリア１１２に入るときにタイマが満了している場合に、デバイス１１８は、記述したように、ＲＡＴ１ネットワークに登録できる。
【００３５】
１つの特定の例では、ＲＡＴ１カバレッジエリア１０２および１０４は、ＣＤＭＡ２０００ １ｘ（１ｘ）のような回路交換カバレッジエリアであるとすることができ、基地局１０６および１０８は、対応するネットワークにアクセスを提供できる。さらに、この例では、ＲＡＴ２カバレッジエリア１１０および１１２は、ＬＴＥであるとすることができ、基地局１１４および１１６は、対応するネットワークにアクセスを提供できる。これに関して、ＬＴＥカバレッジエリア１１０中のデバイス１１８は、音声通信、ＳＭＳ等を取り扱う回路交換フォールバック（ＣＳＦＢ）能力をイネーブルする１ｘ登録を実行する能力を有することができる。ＬＴＥおよび１ｘネットワーク間のＳ１０２トンネルを（例えば、基地局１１４を介して）使用して、これを達成できることを正しく認識すべきである。したがって、この例における基地局１１４は、例えば、デバイス１１８がアイドルモードであるとき、１ｘページング信号をデバイス１１８に転送して、１ｘへのＣＳＦＢと、基地局１０６との通信とを促進できる。この例では、ここでさらに記述するように、基地局１０６、１０８、１１４、および１１６は、システム情報中の１つ以上の予め定められている登録追跡パラメータをアドバタイズできる。１つ以上の予め定められている登録追跡パラメータは、ＲＡＴに依存して、システム情報ブロック（ＳＩＢ）、システムパラメータメッセージ（ＳＰＭ）等のような、１つ以上のオーバーヘッドシステムメッセージを含めることができる。基地局１０６、１０８、１１４、および１１６は、予め定められている登録追跡パラメータを利用して、ここにさらに記述するように、デバイス１１８に１ｘ登録を実行させる、または、実行させないことができる。
【００３６】
１つの例では、予め定められている登録追跡パラメータは、帯域クラスパラメータ、追跡エリアコード等であるとすることができる。予め定められている登録追跡パラメータは、そのように限定されていないことを正しく認識すべきである。むしろ、それらは、可能性のあるパラメータの例であり、予め定められている登録追跡パラメータは、実質的に、例えば、ネットワークおよび／またはデバイスに対して予め定められており、登録を実行することに関連する何らかのパラメータであるとすることができる。加えて、例えば、予め定められている登録追跡パラメータは、予め定めることができ、これは、ネットワークとデバイスとの間で予め合意されているパラメータに関連させることができる。ここで記述した例では、予め定められている登録追跡パラメータは、ここでさらに記述するように、デバイスが登録を更新すべきであることを示す、ネットワークとデバイスとの間で予め合意されている（例えば、デバイス構成、ハードコーディング等から検索可能な）可能性ある値を有することができる。
【００３７】
例えば、帯域クラスパラメータは、１ｘ中で帯域クラス値を記憶することができ、帯域クラス値は、デバイス、例えば、デバイス１８がセルラシステムと（例えば、セルラシステムの基地局と）通信するために使用する周波数の関数を表す０〜３１の整数とすることができる。例えば、帯域クラス０（ＢＣ０）は、８００メガヘルツ（ＭＨＺ）帯域における周波数に対応できる。動作の帯域クラスは、例えば、１ｘネットワーク中で動作するデバイスの動作の周波数に少なくとも一部基づいて決定でき、デバイス登録コンテキストの一部として記憶できる。ＬＴＥを通して動作する間に、１ｘ帯域クラスが既知ではないことから、ＣＳＦＢに対して、Ｓ１０２ ＬＴＥトンネルを通して生成された１ｘ登録コンテキストの一部として記憶されることになる帯域クラスは、既知ではない。したがって、基地局１１４および１１６により、ＬＴＥを通して送られたパラメータに帯域クラスパラメータを追加して、デバイス２０２が１ｘ帯域クラスを知ることができるようになる。これに関して、例えば、基地局１０６、１０８、１１４、または１１６のうちのいずれかを介して、システム１００から帯域クラスパラメータを受信できる。
【００３８】
さらに、システム識別子（ＳＩＤ）／ネットワーク識別子（ＮＩＤ）、登録ゾーンの総数、マルチプルＮＩＤインジケータ、マルチプルＳＩＤインジケータ、パワーアップ登録インジケータ、パワーダウン登録インジケータ、帯域クラス、および／または、これらの類するもののような、例えば、ＳＩＢ、ＳＰＭ等でアドバタイズされる他の特定のパラメータは、追加的にまたは代替的に、デバイス１１８における登録挙動に影響を与えることができる。ある例では、１ｘ基地局１０６および１０８は、ＳＩＢ中のＬＴＥ基地局１１４および１１６よりも、ＳＰＭ中の異なるＮＩＤを、ならびに／あるいは、連続するＬＴＥセルまたはカバレッジエリアを指定して、同一のＮＩＤを使用する。基地局１０６、１０８、１１４、および１１６は、登録ゾーンの総数を０より多く指定して、同一の１ｘカバレッジエリア間あるいは（１ｘ事前登録カバレッジエリアとも呼ぶことができる）ＬＴＥカバレッジエリア１１０および１１２間で移動するときに、デバイス１１８による反復登録を回避できる。加えて、例えば、基地局１０６、１０８、１１４、および１１６は、複数のＮＩＤインジケータを０に設定し、ＬＴＥ−１ｘカバレッジエリアにわたって移動するときに、デバイス１１８に登録させることができる。別の例では、基地局１０６、１０８、１１４、および１１６は、パワーアップ登録インジケータを１に設定して、パワーアップ登録を生じさせることができる。他のパラメータを帯域クラスパラメータの代わりに使用できることに留意すべきである。以下に記述する以下の実施形態は、別のパラメータの使用を説明している。
【００３９】
この実施形態では、ＲＡＴ１カバレッジエリア１０２および１０４は、ＧＳＭおよび／またはＵＭＴＳカバレッジエリアであるとすることができ、したがって、基地局１０６および１０８は、ＧＳＭおよび／またはＵＭＴＳ基地局であるとすることができる。これに関して、記述したように、ＬＴＥカバレッジエリア１１０中のデバイス１１８は、ＣＳＦＢにおいて、音声通信、ＳＭＳ等を取り扱うために、ＬＴＥネットワークを通してＧＳＭまたはＵＭＴＳ登録を実行する能力を有することができる。これは、ＬＴＥとＧＳＭもしくはＵＭＴＳネットワークとの間で、（例えば、基地局１１４を介して）１つ以上のトンネル（例えば、ＳＧトンネル）を使用して達成できることを正しく認識すべきである。したがって、この例における基地局１１４は、例えば、デバイス１１８がアイドルモードであるときに、ＧＳＭまたはＵＭＴＳページング信号をデバイス１１８に転送して、基地局１０６との通信を促進できる。この例では、ここでさらに記述するように、基地局１０６、１０８、１１４、および１１６は、追跡エリアコード値をアドバタイズでき、追跡エリアコード値を利用して、ここでさらに記述するように、デバイス１１８にＧＳＭまたはＵＭＴＳ登録ステータスを更新させる、あるいは、更新させないことができる。
【００４０】
例えば、デバイス１１８は、基地局１０６または１０８とのＧＳＭまたはＵＭＴＳ登録を実行する（および／または、基地局１１４または１１６とのＬＴＥ接続を通して）際に、追跡エリアリストを受信できる。追跡エリアリストは、デバイスが登録ステータスを更新する必要がない追跡エリアのセットを規定できる。したがって、デバイスが、１つのＧＳＭまたはＵＭＴＳカバレッジエリアから別のものへ移動する場合、新たなＧＳＭまたはＵＭＴＳカバレッジエリアが、追跡エリアリスト中の追跡エリアコードを（例えば、システム情報中で追跡エリアコードパラメータの値として）をブロードキャストする場合に、デバイスは、登録ステータスを更新する必要がない。登録ステータスを更新するか否かの決定は、ここでさらに記述するように、周期的登録タイマにさらに基づいていてもよいことを正しく認識すべきである。ＬＴＥを通して動作する間に、追跡エリアコードが既知ではないことから、トンネルを通して生成された、ＧＳＭまたはＵＭＴＳの登録コンテキストに対する追跡エリアコードは、既知ではない。したがって、基地局１１４および１１６によりＬＴＥを通して送られたパラメータに追跡エリアコードを追加できる。追跡エリアコードは、デバイス１１８が、ここでさらに記述するように、ＧＳＭまたはＵＭＴＳを持つＬＴＥのカバレッジエリアと、ＬＴＥカバレッジを持たないＧＳＭまたはＵＭＴＳのカバレッジとの間を移動するときに、ＧＥＭまたはＵＭＴＳ登録を実行するか否かを制御するように指定できる。
【００４１】
ＲＡＴ１カバレッジエリア内のＲＡＴ２カバレッジエリアと、ＲＡＴ２ネットワークを通してＲＡＴ１登録を実行することとに関して一般的に記述してきたが、ＲＡＴ２カバレッジは、ＲＡＴ１カバレッジエリアを含むように拡張することができる（例えば、カバレッジエリア１０２および１０４は、ＲＡＴ２カバレッジエリアであるとすることができ、カバレッジエリア１１０および１１２は、ＲＡＴ１カバレッジエリアであるとすることができる）ことを正しく認識すべきである。この例では、デバイス１１８は、依然として、ＲＡＴ１カバレッジエリアを含むＲＡＴ２カバレッジエリアを通して、ＲＡＴ１登録を実行できることを正しく認識すべきである。上記の特定の例では、例えば、カバレッジエリア１０２および１０４と基地局１０６および１０８とは、ＬＴＥであるとすることができる一方、カバレッジエリア１１０および１１２と基地局１１４および１１６とは、１ｘ、ＧＳＭ、またはＵＭＴＳであるとすることができることを正しく認識すべきである。
【００４２】
図２に目を向けると、異なるＲＡＴのネットワークを通して、ＲＡＴに対する登録を実行するか否かを決定することを促進する例示的なワイヤレス通信システム２００が図示されている。システム２００は、基地局２０４および／または２０６と通信して、１つ以上のワイヤレスネットワークへのアクセスを受信できるデバイス２０２を備える。例えば、デバイス２０２は、記述したように、基地局２０４および／または２０６のカバレッジ内にあるとすることができる。上述したように、デバイス２０２は、ＵＥ、モデム等であるとすることができ、基地局２０４および２０６は、それぞれ、フェムトセル、マクロセル、またはピコセルの基地局等であるとすることができる。
【００４３】
デバイス２０２は、１つ以上の基地局との登録を実行することに関する１つ以上のパラメータを決定するパラメータ決定コンポーネント２０８と、１つの以上のパラメータに少なくとも一部基づいて登録を実行することにより、登録ステータスを更新するか否かを識別する登録決定コンポーネント２１０とを備えることができる。デバイス２０２は、決定に少なくとも一部基づいて、１つ以上の基地局に登録する登録コンポーネント２１２と、１つ以上の基地局に登録するか否かを決定することに関係するタイマを管理するオプション的なタイマコンポーネント２１４とをさらに備えることができる。基地局２０４および２０６は、それぞれ、ワイヤレスネットワーク中でシステム情報をブロードキャストするパラメータアドバタイジングコンポーネント２１６および２１８を備えることができる。
【００４４】
ある例によれば、デバイス２０２は、ＲＡＴを使用してワイヤレスネットワークへのアクセスを受信して、基地局２０４と通信できる。デバイス２０２は、基地局２０６のカバレッジエリア内にあるとすることもでき、この例では、異なるＲＡＴを使用して動作することができる。さらに、記述したように、デバイス２０２は、異なるＲＡＴに関する１つ以上のサービスを受信するために、基地局２０４を通して、異なるＲＡＴに登録できる。デバイス２０２は、基地局２０４および２０６によりカバーされるエリアと、基地局２０６のみによりカバーされるエリアとの間で移動でき、これにより、基地局２０４および２０６の再選択を生じさせることになり、デバイス２０２が、エリアの１つの中に移動する（および／または再選択を実行する）度に、登録決定モジュール２１０は、基地局２０４および／または２０６を通して、異なるＲＡＴに登録する（例えば、異なるＲＡＴとの登録ステータスを更新する）か否かを決定できる。
【００４５】
例えば、パラメータアドバタイジングコンポーネント２１６および２１８は、異なるＲＡＴの基地局に移動するときに、デバイスにおける登録を実行すべきか否かを指定するために、基地局２０４および２０６によりアドバタイズされた１つ以上のパラメータ値をシステム情報中で示すことができる。例えば、記述したように、１つ以上パラメータ値は、予め定められている追跡パラメータに関連させることができる。パラメータ決定コンポーネント２０８は、（例えば、システム情報中の１つ以上のパラメータを取得すること、１つ以上の他のパラメータから１つ以上のパラメータを決定すること等に基づいて）１つ以上のパラメータを決定でき、登録決定コンポーネント２１０は、そのカバレッジエリアに入るときに、１つ以上のパラメータに少なくとも一部基づいて、基地局２０４または２０６との登録を実行するか否かを決定できる。登録決定コンポーネント２１０が、登録を実行することを決定する場合、登録コンポーネント２１２は、登録を実行でき、登録ステータスを更新でき、および／または、それに類するもの行うことができる。これにより、基地局２０４および／または２０６のうちのデバイス２０２と通信していないいずれかからの不必要な信号を防ぐことができる。
【００４６】
別の例では、パラメータ決定コンポーネント２１６および／または２１８は、さらに、登録を実行するか否かを決定するタイマをコンサルティングすることに関するパラメータ値を示すことができる。この例では、タイマコンポーネント２１４は、基地局２０４および／２０６のカバレッジエリアを離れるときに、タイマを初期化できる。パラメータ決定コンポーネント２０８は、システム情報中でパラメータを決定でき、または、そうでなければ、取得でき、登録決定コンポーネント２１０は、タイマコンポーネント２１４におけるタイマが、基地局２０４および／または２０６に登録するか否かを決定する際に満了しているか否かを決定できる。１つの例では、タイマが満了していない場合、登録コンポーネント２１２は、タイマが満了するとき（例えば、それは、タイマコンポーネント２１４により、登録コンポーネント２１２に示すことができ、登録コンポーネント２１２により決定でき、および／または、これらに類するとき）に、基地局２０４および／または２０６に登録できる。これにより、頻繁な登録を防ぐことができる。加えて、タイマコンポーネント２１４は、登録のときに、および／または、デバイス２０２が現在のカバレッジエリアから離れるときに、タイマを再び初期化できる。
【００４７】
別の例によれば、基地局２０４および２０６は、同一のＲＡＴを使用して動作できる。この例では、パラメータ決定コンポーネント２１６および２１８は、システム情報中で同一の１つ以上のパラメータを示すことができる。したがって、パラメータ決定コンポーネント２０８は、１つ以上のパラメータを決定でき、登録決定コンポーネント２１０は、基地局２０４および２０６間を移動するときに、登録を実行しないことを決定でき、および／または、１つ以上のパラメータが同一であることから、タイマコンポーネント２１４に少なくとも一部基づいて、登録するか否かを決定できる。記述したように、例えば、タイマコンポーネント２１４は、デバイス２０２が基地局２０４および／または２０６のカバレッジを離れるときに、タイマを初期化できる。これにより、このような機能性が望まれる場合に、デバイス２０２が、場合によっては登録を更新することを確実にしつつ、頻繁な登録を防ぐことができる。
【００４８】
特定の例では、基地局２０４は、ＬＴＥ基地局であるとすることができ、基地局２０６は、１ｘ基地局であるとすることができる。したがって、記述したように、デバイス２０２は、基地局２０４との１ｘ登録を実行して、音声通信、ＳＭＳ等のような、１つ以上のサービスに対して１ｘネットワークを利用できる。したがって、例えば、デバイス２０２は、基地局２０４および２０６間で移動でき、これは、ＬＴＥカバレッジを持たない基地局２０６に対するカバレッジエリアから、基地局２０４に対するＬＴＥカバレッジエリア中にアイドルモードで移動することを含み、逆もまた同じである。例えば、デバイス２０２は、基地局２０４および／または２０６の中で、アイドルモード再選択を実行できる。この例では、登録決定コンポーネント２１０は、移動のときに、（例えば、ＬＴＥネットワークまたは１ｘネットワークとの登録ステータスを更新するために、）対応する基地局２０４または２０６との１ｘ登録を実行するか否かを決定できる。ある例では、パラメータアドバタイジングコンポーネント２１６および／または２１８は、システム情報中の帯域クラスパラメータの値を利用して、デバイス２０２が、ＬＴＥおよび１ｘカバレッジのエリアと、ＬＴＥカバレッジを持たない１ｘのエリアとの間を移動するときに、登録ステータスを更新するか否かを制御できる。さらに、例えば、１ｘ登録は、パワーアップ登録に関連させることができる。
【００４９】
１つの例では、１ｘのみのカバレッジからＬＴＥおよび１ｘカバレッジに移動するとき、および／または、その逆のときに、１ｘ登録を実行することによって、デバイス２０２に登録ステータスを更新させ、デバイス２０２が１ｘのみのカバレッジエリア中で基地局２０６と通信するときに、基地局２０４からの不必要なシグナリングを軽減させることが望ましい。さらに、例えば、帯域クラスパラメータの異なる値をアドバタイズしている基地局間で切り換えることにより、デバイス２０２がそれに向けて移動している基地局との登録をデバイス２０２に更新させることができる。この例では、パラメータアドバタイジングコンポーネント２１６は、基地局２０６、または、１ｘネットワーク中の何らかの基地局により使用されていない帯域クラスである、ＬＴＥ基地局２０４の帯域クラスパラメータの値を（例えば、ＳＩＢ中で）示すことができる。この情報は、１ｘおよびＬＴＥネットワークのサービスプロバイダにより既知となり、それに応じて基地局２０４に対して提供することができる。したがって、パラメータ決定コンポーネント２０８は、基地局２０４と通信するときに、および／または、デバイス２０２が関連するカバレッジエリアにあるときに再選択に対して基地局２０４を評価するときに、パラメータアドバタイジングコンポーネント２１６から、基地局２０４の帯域クラスパラメータの値を決定でき、そうでなければ、取得できる。
【００５０】
この例では、登録決定コンポーネント２１０は、基地局２０４および２０６から受信した帯域クラスパラメータに対する異なる値を比較することに少なくとも基づいて、（例えば、デバイス２０２が基地局２０４および／または２０６により担当されることを決定するときに）基地局２０４および／または２０６との１ｘ登録を実行することを決定できる。１つの例では、デバイス２０２が、基地局２０４と通信し、基地局２０６に対して再選択している場合に、パラメータ決定コンポーネント２０８は、（例えば、それとの最初の通信、基地局２０４に対する再選択等の一部として）基地局２０４に対する帯域クラスパラメータの値をシステム情報中で先に受信して記憶しておくことができ、（例えば、パラメータアドバタイジングコンポーネント２１８により通信されたシステム情報の一部であるとすることができる）基地局２０６との通信に対する動作周波数に少なくとも一部基づいて、基地局２０６に対する帯域クラスパラメータの値を決定できる。この例では、登録決定コンポーネント２１０は、帯域クラス値を比較して、値における差異を決定でき、登録コンポーネント２１２は、したがって、差異に基づいて、基地局２０６との１ｘ登録を実行できる。
【００５１】
同様に、デバイス２０２が、基地局２０６と通信しており、基地局２０４に向けて移動している場合に、パラメータ決定コンポーネント２０８は、（例えば、基地局２０６と通信するために使用する動作周波数に少なくとも一部基づいて）基地局２０６に対する帯域クラスパラメータの値を先に決定しておくことができ、パラメータ決定コンポーネント２０８は、さらに、基地局２０４を再選択することの一部として、基地局２０４に対する帯域クラスパラメータの値をさらに受信できる。登録決定コンポーネント２１０は、同様に、帯域クラス値における差異を決定でき、登録コンポーネント２１２は、それに応じて、１ｘページング信号を受信するＬＴＥ基地局２０４を再選択した後に、（例えば、Ｓ１０２トンネルを介して）ＬＴＥ基地局２０４との１ｘ登録を実行できる。登録コンポーネント２１２は、登録決定コンポーネント２１０による連続的な使用に対する登録の一部として、帯域クラス値を記憶できることを正しく認識すべきである。
【００５２】
別の例では、パラメータアドバタイジングコンポーネント２１６は、タイマ値に基づいて１ｘ登録を実行するように示すワイルドカードクラス値をシステム情報中で示して、記述したように、頻繁な登録によって生じるピンポン現象を防ぐことができる。例えば、ワイルドカード帯域クラス値を３１とすることができ、ここで、帯域クラスパラメータは、０〜３１の間の整数値に、または、実質的には、以下に記述する挙動を示すために、基地局２０４および／または２０６とともにデバイス２０２により規定および利用できる任意の値に対応する。この例では、パラメータ決定コンポーネント２０８は、（例えば、基地局２０４と通信することの一部として、または、記述したように、再選択に対して基地局２０４を評価するときに）基地局２０４からのシステム情報中で帯域クラスパラメータの値を取得できる。いずれのケースにおいても、登録決定コンポーネント２１０は、タイマコンポーネント２１４により管理されるタイマに少なくとも一部基づいて、（例えば、デバイス２０２がいずれに向けて移動しているかに依存する）基地局２０４または基地局２０６との１ｘ登録を実行することを決定できる。この例では、タイマコンポーネント２１４は、基地局２０４および／または２０６からの最初の移動の後に、タイマを初期化できる。
【００５３】
１つの例では、タイマが、初期化されて、デバイスが基地局２０４および／または２０６のカバレッジエリア内にある間に実行するように、タイマは、特に基地局２０４および２０６間での移動に、または、一般的に異なるＲＡＴの基地局間での移動に対応させることができる。この例では、デバイス２０２が、異なる基地局のカバレッジエリアに入る場合に、タイマコンポーネント２１４は、タイマをキャンセルでき、および／または、異なる基地局に関連するタイマを初期化できる。例えば、タイマ値は、実質的に、記述したように、不必要なページング信号により使用されるリソースを節約することと、頻繁な登録を軽減させることとをバランスさせるように最適化できる、任意の時間期間（例えば、日数、時間、分、秒等）に設定できる。任意のケースでは、登録決定コンポーネント２１０は、基地局２０４の帯域クラスパラメータの値が、ワイルドカード帯域クラス値であることを決定し、登録決定コンポーネント２１０は、タイマコンポーネント２１４からタイマを受信して、１ｘ登録を実行するか否かを決定する際に、タイマが満了しているか否かを決定できる。１つの例では、タイマが満了していない場合に、いったんタイマが満了すると、登録決定コンポーネント２１０に（例えば、タイマコンポーネント２１４により）通知することができ、登録決定コンポーネント２１０は、現在の基地局との１ｘ登録を実行することを決定できる。加えて、この例では、タイマコンポーネント２１４は、登録コンポーネント２１２が１ｘ登録を実行すること、デバイス２０２が基地局２０４または２０６のカバレッジを離れること、および／または、これらに類することの一部として、タイマを再初期化することができる。任意のケースでは、登録コンポーネント２１２は、基地局との１ｘ登録を実行でき、ここでは、そのように決定されている。
【００５４】
別の例では、パラメータアドバタイジングコンポーネント２１６は、１ｘ登録を実行するように示す、不一致帯域クラス値をシステム情報中で示すことができる。さらに、これは、実質的には、１ｘ登録を実行するように示す、基地局２０４および／または２０６と同様に、デバイス２０２により規定および利用される帯域クラスパラメータの任意の値であるとすることができる。この例では、パラメータ決定コンポーネント２０８は、（例えば、記述したように、基地局と通信すること、または、再選択に対して基地局２０４を評価するときの一部として）基地局２０４からのシステム情報中で帯域クラスパラメータの値を取得できる。登録実行コンポーネント２１０は、帯域クラスが、登録を強制する不一致帯域クラスであることを決定することに基づいて、基地局２０４とのｘ１登録を実行することを決定できる。
【００５５】
さらに、先述したように、上記の例では、デバイス２０２は、基地局２０４および２０６との登録を最初に実行しており、登録決定コンポーネント２１０は、上記の例では、再登録することにより、登録ステータスを更新するか否かを決定して、基地局２０４および／または２０６が、デバイス２０２に対するページング信号を送信するか否かを制御していることを正しく認識すべきである。さらに、ある例では、基地局２０４および２０６の双方は、１ｘ基地局であるとすることができ、または、ＬＴＥ基地局であるとすることができる。この例では、パラメータアドバタイジングコンポーネント２１６および２１８は、同一または類似した帯域クラスパラメータ値をアドバタイズでき、したがって、登録決定コンポーネント２１０は、同一または類似した帯域クラスパラメータ値に遭遇することに基づいて、基地局２０４および２０６間で移動するときに、１ｘ登録を実行しないことを決定できる。別の例では、登録決定コンポーネント２１０は、基地局２０４および２０６の同一または類似した帯域クラスを決定すること、または、そうでなければ、登録ステータスを更新しないことを決定することの一部として、タイマコンポーネント２１４における異なるタイマを分析できる。例えば、タイマコンポーネント２１４は、記述したように、基地局２０４および／または２０６から最初に移動すること等の一部として、異なるタイマを初期化できる。１つの例では、これは、ここで記述したように、周期的な登録時間またはタイマであるとすることができる。
【００５６】
また別の例では、パラメータアドバタイジングコンポーネント２１６および２１８は、マルチプルＮＩＤパラメータを０として示すことができ、ＮＩＤをアドバタイズできる。例えば、異なるＲＡＴの基地局２０４および２０６エリアが、または、そうでなければ、新たな登録が、デバイス２０２にとって望ましい場合に、パラメータアドバタイジングコンポーネント２１６および２１８が、異なるＮＩＤをアドバタイズできるように、ＮＩＤはＲＡＴに関連させることができる。この例では、登録決定コンポーネント２１０は、デバイス２０２が登録しているＳＩＤ／ＮＩＤに関するＳＩＤ／ＮＩＤリストを記憶できる。パラメータ決定コンポーネント２０８は、マルチプルＮＩＤパラメータに遭遇する場合に、登録決定コンポーネント２１０は、リストサイズをマルチプルＮＩＤパラメータに設定でき、ＳＩＤ／ＮＩＤの部分を削除できる。ここで、マルチプルＮＩＤパラメータは、現在のリストサイズより小さい。マルチプルＮＩＤパラメータが０である場合に、登録決定コンポーネント２１０は、最も新しいＮＩＤを記録できる。したがって、デバイス２０２は、基地局２０４および２０６間を移動するとき、対応するパラメータアドバタイジングコンポーネント２１６または２１８によりアドバタイズされたＮＩＤが、登録決定コンポーネント２１０により記憶されたＮＩＤ（例えば、現在の基地局２０４または２０６のＮＩＤ）に一致しない場合に、登録決定コンポーネント２１０は、デバイス２０２がそれに向かって移動する基地局２０４または２０６との１ｘ登録を実行することを決定でき、登録コンポーネント２１２は、したがって、１ｘ登録を実行できる。アドバタイズされたＮＩＤが同一である場合に、デバイス２０２は、１ｘ登録の実行をやめることができ、および／または、上述したように、タイマコンポーネント２１４におけるタイマにしたがって、１ｘ登録の実行をやめることができる。
【００５７】
別の例によれば、パラメータ決定コンポーネント２０８は、周期的な登録時間を取得でき、この周期的な登録時間により、登録コンポーネント２１２は、ＲＡＴに登録して、ＲＡＴとの登録ステータスを維持できる。これは、デバイス２０２が、異なるＲＡＴを利用できる基地局２０４または２０６上にキャンピングしているか否かに関わらない。加えて、パラメータ決定コンポーネント２０８は、アクティブモード登録時間を取得でき、このアクティブモード登録時間は、デバイス２０２が（例えば、別の目的のために）アクティブ通信モードに移動するときに、ＲＡＴとの登録を実行するために利用できる。例えば、パラメータ決定コンポーネント２０８は、基地局２０４および／または２０６のうちの１つ以上のものからの、ハードコーディング、構成等からパラメータを取得できる。したがって、例えば、登録決定コンポーネント２１０は、基地局２０４または２０６と通信しているかに関わらず、デバイス２０２が、アイドルモードからアクティブモードへ切り換えを検出できる。これは、（例えば、基地局２０４および／または２０６から受信された、あるいは、基地局２０４および／または２０６に送信された１つ以上のメッセージのような）１つ以上のイベントを、受信すること、監視すること、または検出することに少なくとも一部基づくとすることができる。この例では、登録決定コンポーネント２１０は、（例えば、記述したように、ＲＡＴの基地局と通信することに基づいて、または、異なるＲＡＴの基地局を通して）アクティブモード登録時間を評価して、ＲＡＴとの登録を実行するか否かを決定でき、登録コンポーネント２１２は、決定に基づいて登録を実行できる。
【００５８】
例えば、アクティブモード登録時間は、現在の時間と周期的な登録時間との時間差を規定できる。したがって、例えば、現在の時間と周期的な登録時間との間の差が、アクティブモード登録時間より少ない場合に、登録決定コンポーネント２１０は、ＲＡＴとの登録ステータスを更新することを決定でき、登録コンポーネント２１２は、登録ステータスを更新できる。デバイス２０２がＲＡＴまたは異なるＲＡＴの基地局と通信しているかに関わらず、登録コンポーネント２１２は登録ステータスを更新できることを正しく認識すべきである。例えば、登録コンポーネント２１２は、基地局２０４または２０６を使用して、ＲＡＴ登録を実行できる。ここで、デバイス２０２は、基地局２０４または２０６のいずれかとアクティブモードで通信している。別の例では、タイマコンポーネント２１４は、登録の一部として、周期的登録タイマを初期化でき、ここで、周期的登録タイマの満了は、登録コンポーネント２１２にＲＡＴに登録させる。この例では、登録決定コンポーネント２１０は、アクティブモード登録時間が、周期的登録タイマ値より少ない、または、周期的登録タイマ値と等しいことを決定して、ＲＡＴとの登録ステータスを更新するか否かを決定できる。さらに、例えば、タイマコンポーネント２１４により初期化されたアクティブモード登録タイマを代替的に使用できる。この例では、登録の一部として、アクティブモード登録タイマも同様に初期化でき、登録決定コンポーネント２１０は、その後、アイドルモードからアクティブモード通信へ切り換えるときに、アクティブモード登録タイマが満了しているか否かを決定して、登録ステータスを更新するか否かを決定できる。
【００５９】
別の例では、基地局２０６は、ＧＳＭまたはＵＭＴＳ基地局であるとすることができる。したがって、記述したように、デバイス２０２は、基地局２０４とのＧＳＭまたはＵＭＴＳ登録を実行して、音声通信、ＳＭＳ等のような、１つ以上のサービスに対して、ＧＳＭまたはＵＭＴＳネットワークを利用できる。したがって、例えば、デバイス２０２は、基地局２０４および２０６間で再選択できる。この例では、登録決定コンポーネント２１０は、登録の一部として、（例えば、ＬＴＥネットワークあるいはＧＳＭまたはＵＭＴＳネットワークとの登録ステータスを更新するために）対応する基地局２０４または２０６とのＧＳＭまたはＵＭＴＳ登録を実行するか否かを決定できる。ある例では、パラメータアドバタイジングコンポーネント２１６および／または２１８は、システム情報中の追跡エリアコードパラメータの値を利用して、デバイス２０２が、ＬＴＥカバレッジとＧＳＭまたはＵＭＴＳカバレッジとのエリアと、ＬＴＥカバレッジを持たないＧＳＭまたはＵＭＴＳのエリアとの間を移動するときに、登録ステータスを更新するか否かを制御できる。
【００６０】
例えば、パラメータアドバタイジングコンポーネント２１６は、ＧＳＭまたはＵＭＴＳ登録ステータスを更新しないように示す、ワイルドカード追跡エリアコード値をシステム情報中で示すことができる。パラメータ決定コンポーネント２０８は、基地局２０４からのシステム情報中で追跡エリアコード値を決定でき、または、そうでなければ、取得できる。登録決定コンポーネント２１０は、基地局２０４に対する追跡エリアコード値が、ワイルドカード追跡エリアコード値であることを決定でき、ＧＳＭまたはＵＭＴＳ登録ステータスを更新しないことを決定できる。しかしながら、記述したように、ワイルドカード追跡エリアコード値が、パラメータアドバタイジングコンポーネント２１６によりブロードキャストされているにもかかわらず、タイマの満了が、基地局２０４との登録を生じさせることができるように、これは、上述したように、タイマコンポーネント２１４における、周期的な登録時間またはタイマによって決めることができる。加えて、例えば、タイマコンポーネント２１４は、上述したように、異なるタイマ値を初期化して、ピンポン現象を防ぐことができ、登録決定コンポーネント２１０は、異なるタイマに少なくとも一部基づいて、登録ステータスを更新するか否かをさらに決定できる。
【００６１】
別の例では、追跡エリアコード値が、ワイルドカード追跡エリアコード値ではない場合に、登録決定コンポーネント２１０は、基地局２０４および／または２０６との最初のＧＳＭまたはＵＭＴＳ登録を実行するときに受信された、追跡エリアリスト中に追跡エリアコード値があるか否かを決定することに少なくとも一部基づいて、（例えば、ＳＧトンネルを介して）ＧＳＭまたはＵＭＴＳ登録を更新するか否かを識別できる。加えて、基地局２０４から基地局２０６に移動するときに、パラメータ決定コンポーネント２０８は、基地局２０６からの追跡エリアコード値を決定でき、または、そうでなければ、取得でき、登録決定コンポーネント２１０は、追跡エリアコード値が追跡エリアリスト中にあるか否かに少なくとも一部基づいて、登録ステータスを更新するか否かを決定できることを正しく認識すべきである。
【００６２】
図３を参照すると、複数の基地局の帯域クラス値を比較することに少なくとも一部基づいて、登録を実行することを促進する例示的なワイヤレス通信システム３００が図示されている。システム３００は、ソース基地局３０４と通信するデバイス３０２、および／または、ワイヤレスネットワークへのアクセスを受信するターゲット基地局３０６を備えることができる。記述したように、デバイス３０２は、ＵＥ、モデム等であるとすることができ、ソース基地局３０４およびターゲット基地局３０６は、それぞれ、マクロセル、フェムトセル、ピコセル、または類似する基地局、中継ノード等であるとすることができる。加えて、１つの例では、ソース基地局３０４は、１ｘ基地局であるとすることができ、ターゲット基地局３０６は、ＬＴＥ基地局であるとすることができ、および／または、その逆も同じである。
【００６３】
ある例によれば、デバイス３０２は、ソース基地局３０４とアイドルモードで通信でき、測定レポート３０８をソース基地局３０４に送信して、アイドルモード再選択を促進できる。ソース基地局３０４は、測定リポートに少なくとも一部基づいて、デバイス３０２を担当するのにターゲット基地局３０６がより望ましいことを決定できる。したがって、ソース基地局３０４は、再選択コマンドをデバイス３０２に送信し、ターゲット基地局３０６を利用してワイヤレスネットワークにアクセスするように、デバイス３０２に命令できる。ソース基地局３０４は、ターゲット基地局３０６に対するコンテキスト情報をデバイス３０２に通信すること等のような、追加の通信に携わって、再選択を促進できることを正しく認識すべきである。デバイス３０２は、ターゲット基地局３０６に対して再選択でき３１４、これは、ターゲット基地局３０６との接続を確立すること、および／または、これに類するものを含めることができる。加えて、デバイス３０２は、ターゲット基地局３０６の帯域クラスを決定できる３１６。これは、例えば、ターゲット基地局３０６からシステム情報（例えば、ＳＩＢ、ＳＰＭ等）を受信することと、ターゲット基地局３０６の１つ以上のパラメータから帯域クラスの値を決定することとを含めることができる。さらに、帯域クラス値を決定することは、ターゲット基地局３０６の動作周波数、および／または、これに類するものに少なくとも一部基づくとすることができる。デバイス３０２は、ソース基地局３０４とターゲット基地局３０６との帯域クラス値を比較できる３１８。
【００６４】
例えば、記述したように、デバイス３０２は、ソース基地局３０４との先の通信から、（例えば、システム情報中の、動作周波数に基づいて等）ソース基地局３０４の帯域クラスパラメータの値を取得または決定できるだろう。この例では、ソース基地局３０４とターゲット基地局３０６との帯域クラス値は異なる。１つの例では、ソース基地局３０４またはターゲット基地局３０６の帯域クラス値は、ワイルドカード帯域クラス値であるとすることができ、デバイス３０２は、オプションとして、登録を実行するように示すことができるタイマ満了を決定することができる３２０。デバイス３０２は、上述したように、いずれのケースにおいても、異なる帯域クラス値に、および／または、ワイルドカード帯域クラスと満了しているタイマとの組み合わせに少なくとも一部基づいて、ターゲット基地局３０６との登録を実行できる３２２。１つの例では、登録は、記述したように、ＬＴＥまたは１ｘ基地局としてのターゲット基地局３０６により実行される１ｘ登録であるとすることができる。
【００６５】
図４を参照すると、追跡エリアコードを評価することに少なくとも一部基づいて、登録を実行することを促進する例示的なワイヤレス通信システム４００が図示されている。システム４００は、ソース基地局４０４と通信するデバイス４０２、および／または、ワイヤレスネットワークへのアクセスを受信するターゲット基地局４０６を備えることができる。記述したように、デバイス４０２は、ＵＥ、モデム等であるとすることができ、ソース基地局４０４およびターゲット基地局４０６は、それぞれ、マクロセル、フェムトセル、ピコセル、または類似する基地局、中継ノード等とすることができる。加えて、１つの例では、ソース基地局４０４は、ＧＳＭまたはＵＭＴＳ基地局であるとすることができ、ターゲット基地局４０６は、ＬＴＥ基地局であるとすることができ、および／または、その逆も同じである。
【００６６】
ある例にしたがうと、デバイス４０２は、ソース基地局４０４とアイドルモードで通信でき、測定レポート４０８をソース基地局４０４に送信して、アイドルモード再選択を促進できる。ソース基地局４０４は、測定リポートに少なくとも一部基づいて、デバイス４０２を担当するのにターゲット基地局４０６がより望ましいことを決定できる。したがって、ソース基地局４０４は、再選択コマンドをデバイス４０２に送信し、ターゲット基地局４０６を利用してワイヤレスネットワークにアクセスするように、デバイス４０２に命令できる。ソース基地局４０４は、ターゲット基地局４０６に対するコンテキスト情報をデバイス４０２に通信すること等のような、追加の通信に携わって、再選択を促進できることを正しく認識すべきである。デバイス４０２は、ターゲット基地局４０６に対して再選択でき４１４、これは、ターゲット基地局４０６との接続を確立すること、および／または、これに類するものを含めることができる。加えて、デバイス４０２は、ターゲット基地局４０６の追跡エリアコード値を受信できる４１６。これは、例えば、ターゲット基地局４０６からシステム情報（例えば、ＳＩＢ、ＳＰＭ等）を受信することと、ターゲット基地局４０６の１つ以上のパラメータから追跡エリアコードの値を決定することとを含めることができる。デバイス４０２は、追跡エリアコード値は、追跡エリアリスト中になく、ワイルドカード追跡エリアコードではないことを決定でき４１８、それに応じて、ターゲット基地局４０６との登録（例えば、ＧＳＭまたはＵＭＴＳ登録）を実行できる４２０。
【００６７】
図５〜８を参照すると、１つ以上のネットワーク上で登録を実行するか否かを決定することに関連する例示的な手順が図示されている。説明の簡略化の目的のために、手順は、一連のアクトとして示され記述されているが、いくつかのアクトは、１つ以上の態様にしたがうと、ここに示され記述されているものとは異なる順序で、ならびに／あるいは、他のアクトと同時に、起こることがあるので、手順は、アクトの順序により限定されないことを、理解すべきであり、正しく認識すべきである。例えば、手順は、状態ダイヤグラム中のような、一連の相互に関係する状態またはイベントとして、手順を代替的に表すことができることを正しく認識すべきである。さらに、１つ以上の態様にしたがって手順を実現するために、図示したすべてのアクトを必要とするわけではない。
【００６８】
図５を参照すると、ＲＡＴのネットワーク上で登録を実行するか否かを決定することを促進する例示的な手順５００が表示されている。５０２において、ＲＡＴの基地局から、帯域クラスに対する値を受信できる。記述したように、例えば、基地局との通信に対する動作周波数に少なくとも一部基づいて決定された、基地局からの１つ以上のパラメータ等として、システム情報（例えば、ＳＩＢ、ＳＰＭ等）中で値を受信できる。加えて、例えば、基地局は、担当およびターゲット基地局であるとすることができる。５０４において、値に少なくとも一部基づいて、異なるＲＡＴに対する登録ステータスを更新するか否かを決定できる。記述したように、ＲＡＴおよび異なるＲＡＴに対して、異なる帯域クラス値に遭遇する場合、（例えば、ＲＡＴまたは異なるＲＡＴの）１つ以上の基地局を使用して、異なるＲＡＴ上で登録を実行できる。１つ以上の基地局は、帯域クラスパラメータ値を受信する基地局、または、１つ以上の他の基地局を含めることができる。記述したように、基地局のサービスプロバイダは、したがって、いくつかのケースで登録を生じさせるように帯域クラス値を構成できる。さらに、登録を実行するか否かを決定する際に、値、または、１つ以上のタイマに関する満了のような、追加のパラメータを評価できる。
【００６９】
図６は、ＲＡＴのネットワーク上で登録を実行するか否かを決定することを促進する例示的な手順６００を図示している。６０２において、ＲＡＴの基地局から、追跡エリアコードの値を受信できる。記述するように、例えば、基地局からの１つのパラメータ等として、システム情報（例えば、ＳＩＢ、ＳＰＭ等）中で値を受信できる。加えて、例えば、基地局は、担当およびターゲット基地局であるとすることができる。５０４において、値に少なくとも一部基づいて、異なるＲＡＴに対する登録ステータスを更新すべきか否かを決定できる。記述したように、ワイルドカード追跡エリアコードを受信する場合、登録ステータスを更新しないことを決定できる。他の追跡エリアコードを受信する場合、登録ステータスを更新するか否かを決定することは、記述したように、追跡エリアコードが、受信した追跡エリアリスト中にあるか否かにさらに基づくとすることができる。記述したように、基地局のサービスプロバイダは、したがって、いくつかのケースで登録を生じさせるように追跡エリア値を構成できる。さらに、登録を実行するか否かを決定する際に、値、または、１つ以上のタイマに関する満了のような、追加のパラメータを評価できる。
【００７０】
図７に目を向けると、帯域クラス値およびタイマに少なくとも一部基づいて、ＲＡＴを通して登録を実行することを促進する例示的な手順７００が表示されている。７０２において、ＲＡＴの基地局に関するワイルドカード帯域クラス値を決定できる。例えば、記述したように、基地局は、帯域クラス値をシステム情報中で示すことができる。加えて、基地局と通信するために基地局に接続するときに、システム情報を分析できる。７０４において、登録を実行することに関する受信したタイマが満了しているか否かを決定できる。例えば、これは、記述したように、基地局に／から、通信を転送することを決定するときに、基地局のワイルドカード帯域クラス値を検出することに少なくとも一部基づいて決定できる。７０６において、タイマが満了しているか否かを決定することに少なくとも一部基づいて、異なるＲＡＴとの登録を実行できる。例えば、タイマが満了していない場合に、記述したように、ピン現象を防ぐために登録を実行しない。そうでなければ、登録を実行して、１つ以上の基地局にページング信号の送信を終えさせることができる。
【００７１】
図８を参照すると、アクティブモードで通信している間に、登録ステータスを更新するか否かを決定することを促進する例示的な手順８００が表示されている。８０２において、アイドルモードからアクティブモード通信への切り換えを検出できる。これは、対応する基地局に１つ以上のメッセージを受信または送信すること、および／または、これに類するもののような、１つ以上の受信された、監視された、または、検出されたイベントに少なくとも一部基づくとすることができる。８０４において、現在の時間と、ＲＡＴとの登録ステータスを更新する時間との間の時間が、しきい値時間よりも少ないことを決定できる。例えば、上述したように、しきい値時間は、アクティブモード登録時間に関連させることができ、登録ステータスを更新する時間は、周期的登録時間を含めることができる。８０６において、アクティブモード通信の間に、ＲＡＴとの登録ステータスを更新できる。これは、記述したように、現在の時間と、登録ステータスを更新する時間との間の時間が、しきい値時間よりも少ないことを決定することに基づくとすることができる。加えて、周期的登録タイマおよび／またはアクティブモード登録タイマは、上述したように、登録ステータスを更新することを決定するために、同様に利用できる。
【００７２】
ここに記述した１つの態様にしたがうと、記述したように、１つ以上のＲＡＴを通して登録を要求するか否かを決定すること、動作周波数から帯域クラスを決定すること、および／または、これらに類するものに関して、推論を行うことができることを正しく認識するだろう。ここで使用する“推測する”または“推論する”という用語は、一般的に、イベントおよび／またはデータを介して獲得される１組の観測から、システム、環境、および／またはユーザの状態について推理すること、または、推論することのプロセスのことを指す。推論を用いて、特定のコンテキストもしくはアクションを識別でき、または、例えば、状態を通しての確率分布を発生させることができる。推論は、確率論的であるとすることができる−つまり、データおよびイベントの考慮に基づく、関心の状態を通しての確率分布の計算である。推論は、１組のイベントおよび／またはデータから、高レベルのイベントを構成するために用いられる技術のことを指すこともできる。このような推論は、１組の、観測したイベントおよび／または記憶したイベントのデータと、イベントが時間的に近接して相関しているか否かと、イベントおよびデータが、１つまたはいくつかのイベントおよびデータソースに由来するか否かとから、新たなイベントまたはアクションの構築をもたらす。
【００７３】
図９は、１つ以上のＲＡＴの１つ以上のパラメータを受信することに基づいて、１つ以上のＲＡＴとの登録を実行するか否かを決定することを促進する移動デバイス９００の図示である。移動デバイス９００は、例えば、（示されていない）受信アンテナから信号を受信し、受信した信号上で典型的なアクション（例えば、フィルタリング、増幅、ダウンコンバート等）を実行し、調整した信号をデジタル化してサンプルを取得する受信機９０２を備える。受信機９０２は、受け取ったシンボルを変調し、チャネル推定のために、それらをプロセッサ９０６に提供できる変調器９０４を備えることができる。プロセッサ９０６は、受信機９０２により受信した情報を分析すること、および／または、送信器９０８による送信のために情報を発生させることに専用のプロセッサ、移動デバイス９００の１つ以上のコンポーネントを制御するプロセッサ、ならびに／あるいは、受信機９０２により受信された情報を分析し、送信器９０８による送信のために情報を発生させることと、移動デバイス９００の１つ以上のコンポーネントを制御することとの双方を行うプロセッサとすることができる。
【００７４】
移動デバイス９００は、メモリ９１０をさらに備えることができる。メモリ９１０は、プロセッサ９０６に動作可能に結合されており、送信すべきデータと、受信データと、利用可能なチャネルに関する情報と、分析した信号および／または干渉強度に関係するデータと、割り当てられたチャネル、電力、レート、またはこれらに類するものに関する情報と、チャネルを推定して、チャネルを介して通信するために適切な他の何らかの情報とを記憶できる。メモリ９１０は、チャネルを推定および／または利用することに関係する（例えば、パフォーマンスベース、能力ベース等の）プロトコルならびに／あるいはアルゴリズムをさらに記憶できる。
【００７５】
ここで記述したデータ記憶（例えば、メモリ９１０）は、揮発性メモリまたは不揮発性メモリのいずれかであるとすることができ、あるいは、揮発性メモリおよび不揮発性メモリの双方を含めることができることを正しく認識するだろう。実例として、これらに限定されないが、不揮発性メモリは、リードオンリーメモリ（ＲＯＭ）、プログラム可能ＲＯＭ（ＰＲＯＭ）、電気的プログラム可能ＲＯＭ（ＥＰＲＯＭ）、電気的消去可能ＰＲＯＭ（ＥＥＰＲＯＭ）、またはフラッシュメモリを含めることができる。揮発性メモリは、外部キャッシュメモリとしてアクトするランダムアクセスメモリ（ＲＡＭ）を含めることができる。実例として、これらに限定されないが、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ ＳＤＲＡＭ）、拡張ＳＤＲＡＭ（ＥＳＤＲＡＭ）、シンクリンクＤＲＡＭ（ＳＬＤＲＡＭ）、およびダイレクトラムバスＲＡＭ（ＤＲＲＡＭ（登録商標））のような、多くの形態で利用可能である。主題のシステムおよび方法のメモリ９１０は、これらに限定されることなく、これらのメモリと他の何らかの適切なタイプのメモリとを含めることを意図している。
【００７６】
プロセッサ９０６は、オプションとして、さらに、パラメータ決定コンポーネント２０８に類似するパラメータ決定コンポーネント９１２と、登録決定コンポーネント２１０に類似する登録決定コンポーネント９１４と動作可能に結合させることができる。プロセッサ９０６は、オプションとして、登録コンポーネント２１２に類似する登録コンポーネント９１６と、タイマコンポーネント２１４に類似するタイマコンポーネント９１８とも動作可能に結合させることができる。移動デバイス９００は、また、例えば、基地局、別の移動デバイス等への送信機９０８による送信のために信号を変調する変調器９２０をさらに備える。プロセッサ９０６から離れているように描写されているが、パラメータ決定コンポーネント９１２、登録決定コンポーネント９１４、登録コンポーネント９１６、タイマコンポーネント９１８、復調器９０４、および／または、変調器９２０は、プロセッサ９０６または（示されていない）複数のプロセッサの一部であるとすることができることを正しく認識すべきである。別の例では、パラメータ決定コンポーネント９１２、登録決定コンポーネント９１４、登録コンポーネント９１６、および／または、タイマコンポーネント９１８は、メモリ９１０中に記憶されているコンポーネント、および／または、メモリ９１０中に記憶されている命令にしたがって（プロセッサ９０６により実行される）コンポーネントであるとすることができる。
【００７７】
図１０は、登録を実行するか否かを決定することを促進するための１つ以上のパラメータを示すことを促進するシステム１０００の図示である。システム１０００は、基地局１００２を備える。基地局１００２は、（例えば、記述したような複数のネットワーク技術のものであり得る）複数の受信アンテナ１００６を通して、１つ以上の移動デバイス１００４から信号を受信する受信機１０１０と、（例えば、記述したような複数のネットワーク技術のものであり得る）複数の送信アンテナ１００８を通して、１つ以上の移動デバイス１００４に送信する送信機１０２２とを有する、実質的に任意の基地局（例えば、フェムトセル、ピコセル等の小さな基地局、中継ノード、移動基地局．．．）とすることができる。加えて、１つの例では、送信機１０２２は、ワイヤードフロントリンクを通して、移動デバイス１００４に送信できる。受信機１０１０は、１つ以上の受信アンテナ１００６から情報を受信でき、受信した情報を復調する復調器１０１２に動作可能に関係している。加えて、ある例では、受信機１０１０は、ワイヤードバックホールリンクから受信できる。復調されたシンボルは、図９に関して上述したプロセッサに類似するプロセッサ１０１４により分析される。プロセッサ１０１４は、メモリ１０１６に結合されており、メモリ１０１６は、信号（例えば、パイロット）強度および／または干渉強度、移動デバイス１００４（または、（示されていない）異種の基地局）に送信することになるデータもしくは移動デバイス１００４（または、（示されていない）異種の基地局）から受信することになるデータに関する情報、ならびに／あるいは、ここで述べる様々なアクションおよび機能を実行することに関する他の何らかの適切な情報を記憶する。
【００７８】
プロセッサ１０１４は、オプションとして、パラメータアドバタイジングコンポーネント２１６および／または２１８に類似するパラメータアドバタイジングコンポーネント１０１８にさらに結合されている。さらに、例えば、プロセッサ１０１４は、変調器１０２０を使用して、送信することになる信号を変調し、送信機１０２２を使用して、変調した信号を送信できる。送信機１０２２は、Ｔｘ本のアンテナ１００８を通して、信号を移動デバイス１００４に送信できる。さらに、プロセッサ１０１４から離れているように描写されているが、パラメータアドバタイジングコンポーネント１０１８、復調器１０１２、および／または、変調器１０２０は、プロセッサ１０１４または（示されていない）複数のプロセッサの一部であるとすることができることを正しく認識すべきである。別の例では、パラメータアドバタイジングコンポーネント１０１８は、メモリ１０１６中に記憶されているコンポーネント、および／または、メモリ１０１６中に記憶されている命令にしたがって（プロセッサ１０１４により）実行されるコンポーネントであるとすることができる。
【００７９】
ここで開示した実施形態に関して記述した、様々な例示的な論理、論理ブロック、モジュール、および回路は、追加的にまたは代替的に、汎用プロセッサ、デジタル信号プロセッサ（ＤＳＰ）、特定用途向け集積回路（ＡＳＩＣ）、現場プログラム可能ゲートアレイ（ＦＰＧＡ）または他のプログラム可能論理デバイス、ディスクリートゲートまたはトランジスタ論理、ディスクリートハードウェアコンポーネント、あるいは、ここに記述した機能を実行するように設計されているこれらの任意の組み合わせたものにより、実現または実行できる。汎用プロセッサはマイクロプロセッサとすることができるが、代替実施形態では、プロセッサは、任意の従来のプロセッサ、制御装置、マイクロ制御装置、または状態機械であるとすることができる。プロセッサはまた、例えば、ＤＳＰおよびマイクロプロセッサを組み合わせたもの、複数のマイクロプロセッサ、ＤＳＰコアを伴う１つ以上のマイクロプロセッサ、あるいは、他の何らかのこのような構成のような、コンピューティングデバイスを組み合わせたものとして実現できる。さらに、少なくとも１つのプロセッサは、上述したステップおよび／またはアクションのうちの１つ以上のものを実行するために動作可能な１つの以上のモジュールを備えていてもよい。プロセッサが、記憶媒体から情報を読み取り、情報を記憶媒体に書き込むことができるように、例示的な記憶媒体は、プロセッサに結合されていてもよい。代替実施形態では、記憶媒体は、プロセッサと一体化されていてもよい。さらに、いくつかの態様では、プロセッサおよび記憶媒体は、ＡＳＩＣ中に存在していてもよい。さらに、ＡＳＩＣは、ユーザ端末中に存在していてもよい。代替実施形態では、プロセッサおよび記憶媒体は、ユーザ端末中に、ディスクリートコンポーネントとして存在していてもよい。
【００８０】
１つ以上の態様では、記述した機能、方法、または、アルゴリズムは、ハードウェアで、ソフトウェアで、ファームウェアで、または、これらの任意の組み合わせで実現することができる。ソフトウェアで実現された場合、機能は、１つ以上の命令またはコードとして、コンピュータ読み取り可能媒体に記憶させることができ、あるいは、コンピュータ読み取り可能媒体上で送信することができる。コンピュータ読み取り可能媒体は、コンピュータプログラムプロダクト中に組み込まれていてもよい。コンピュータ読み取り可能媒体は、１つの場所から別の場所へのコンピュータプログラムの転送を促進する何らかの媒体を含む、コンピュータ記憶媒体および通信媒体の双方を含む。記憶媒体は、コンピュータによりアクセスできる何らかの利用可能な媒体であってもよい。例として、これらに限定されないが、このようなコンピュータ読み取り可能媒体は、ＲＡＭ、ＲＯＭ、ＥＥＰＲＯＭ、ＣＤ−ＲＯＭまたは他の光ディスク記憶装置、磁気ディスク記憶装置もしくは他の磁気記憶デバイス、あるいは、汎用コンピュータもしくは特殊用途コンピュータ、または、コンピュータによりアクセスでき、命令またはデータ構造の形態で所望のプログラムコードを伝送または記憶するために使用できる他の何らかの媒体を含めることができる。また、任意の接続は、実質的に、適切にコンピュータ読み取り可能媒体と呼ばれる。例えば、ソフトウェアが、同軸ケーブル、光ファイバケーブル、ツイストペア線、デジタル加入者線（ＤＳＬ）、または赤外線、無線、およびマイクロ波のようなワイヤレス技術を使用して、ウェブサイト、サーバ、または他の遠隔ソースから送信された場合、同軸ケーブル、光ファイバケーブル、ツイストペア線、ＤＳＬ、または赤外線、無線、およびマイクロ波のようなワイヤレス技術は、媒体の定義に含まれる。ここで使用したディスク（ｄｉｓｋおよびｄｉｓｃ）は、コンパクトディスク（ＣＤ）、レーザディスク（登録商標）、光ディスク、デジタル汎用ディスク（ＤＶＤ）、フロッピー（登録商標）ディスク、ブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。上記のものの組み合わせも、コンピュータ読み取り可能媒体の範囲内に含めるべきである。
【００８１】
前述の開示では、例示的な態様および／または実施形態を論じているが、添付した特許請求の範囲により規定するような記述した態様および／または実施形態の範囲から逸脱することなく、ここで様々な変更および修正を行うことができることに留意すべきである。さらに、記述した態様および／または態様のエレメントを単数形で記述または特許請求しているが、単一形に対する限定が明示的に述べられていない限り、複数形を意図している。さらに、そうでないことが述べられていない限り、任意の態様および／または実施形態の、すべてならびに一部分は、任意の他の態様および／または実施形態の、すべてならびに一部分とともに利用してもよい。
【図１】
2013519317.tif 000003
【図２】
2013519317.tif 000004
【図３】
2013519317.tif 000005
【図４】
2013519317.tif 000006
【図５】
2013519317.tif 000007
【図６】
2013519317.tif 000008
【図７】
2013519317.tif 000009
【図８】
2013519317.tif 000010
【図９】
2013519317.tif 000011
【図１０】
2013519317.tif 000012
【国際調査報告】
2013519317.tif 000013
2013519317.tif 000014
2013519317.tif 000015